(57)【要約】体の外輪郭を少なくとも領域ごとに検知するための方法及び装置に関する。そのために、体の外輪郭に対応して少なくとも領域ごとに成形可能な輪郭要素が使用される。体により成形された状態にある輪郭要素の形は、輪郭要素の少なくとも１つの材料特性を変化させることにより記憶される。体から輪郭要素を弾性的に分離した後、輪郭要素の新たな取り扱いが、体により成形された状態にある輪郭要素の形が、変化された材料特性を評価することにより検知されるように実施される。
2005525475.tif 000002
【特許請求の範囲】
【請求項１】
体の外輪郭を少なくとも領域ごとに検知するための方法であって、体を少なくとも領域ごとに包囲する輪郭要素が体の外輪郭に対応して弾性的に成形される前記方法において、
体（２）の外輪郭に対応して成形された状態にある輪郭要素（１）の形が輪郭要素（１）の少なくとも１つの材料特性を変化させることより記憶されること、及び、体（２）から輪郭要素（１）を弾性的に分離した後に輪郭要素（１）の新たな取り扱いが次のように実施されること、即ち、体（２）により成形された状態にある輪郭要素（１）の形が、変化された材料特性を評価することにより検知されるようにであることを特徴とする方法。
【請求項２】
フォイル状の輪郭要素（１）が成形されることを特徴とする、請求項１に記載の方法。
【請求項３】
材料特性が少なくとも二層の輪郭要素（１）の記憶層（５）内に保存されることを特徴とする、請求項１又は２に記載の方法。
【請求項４】
輪郭要素（１）の材料特性が光学的に変化されることを特徴とする、請求項１〜３のいずれか一項に記載の方法。
【請求項５】
輪郭要素（１）の材料特性が熱的に変化されることを特徴とする、請求項１〜３のいずれか一項に記載の方法。
【請求項６】
測定情報を保存するために輪郭要素（１）の色変化が実施されることを特徴とする、請求項１〜３のいずれか一項に記載の方法。
【請求項７】
輪郭要素（１）の材料特性が空気作用により変化されることを特徴とする、請求項１〜３のいずれか一項に記載の方法。
【請求項８】
輪郭要素（１）の材料特性が圧力作用により変化されることを特徴とする、請求項１〜３のいずれか一項に記載の方法。
【請求項９】
基本状態にある輪郭要素（１）が、フォイルカバーにより、材料特性を変化させるパラメータから保護されることを特徴とする、請求項１〜８のいずれか一項に記載の方法。
【請求項１０】
輪郭要素（１）がその材料特性の変化の前に弾性的に変形されることを特徴とする、請求項１〜９のいずれか一項に記載の方法。
【請求項１１】
輪郭要素（１）が測定評価を実施する際に新たに弾性的に変形されることを特徴とする、請求項１〜１０のいずれか一項に記載の方法。
【請求項１２】
成形された状態にある輪郭要素（１）が測定値検知から測定値評価へと移送されることを特徴とする、請求項１〜９のいずれか一項に記載の方法。
【請求項１３】
測定値評価が、測定値検知に対して場所的に近いところで実施されることを特徴とする、請求項１〜１２のいずれか一項に記載の方法。
【請求項１４】
体の外輪郭を少なくとも領域ごとに検知するための装置であって、成形可能な少なくとも１つの輪郭要素を有している前記装置において、
輪郭要素（１）が、成形状態を記憶する少なくとも１つの材料特性を有すること、輪郭要素（１）が少なくとも成形状態の保存の後に弾性的な材料特性を有すること、及び、保存された成形状態が測定技術的に検知可能であることを特徴とする装置。
【請求項１５】
輪郭要素（１）がフォイル状に形成されていることを特徴とする、請求項１４に記載の装置。
【請求項１６】
輪郭要素（１）が少なくとも二層に形成されていることを特徴とする、請求項１４又は１５に記載の装置。
【請求項１７】
輪郭要素（１）が少なくとも領域ごとに感光性の特性を有していることを特徴とする、請求項１４〜１６のいずれか一項に記載の装置。
【請求項１８】
輪郭要素（１）が少なくとも領域ごとに熱的に影響可能な特性を有していることを特徴とする、請求項１４〜１６のいずれか一項に記載の装置。
【請求項１９】
輪郭要素（１）が少なくとも領域ごとに空気作用により影響可能な特性を有していることを特徴とする、請求項１４〜１６のいずれか一項に記載の装置。
【請求項２０】
輪郭要素（１）が少なくとも領域ごとに圧力作用により影響可能な特性を有していることを特徴とする、請求項１４〜１６のいずれか一項に記載の装置。
【請求項２１】
輪郭要素（１）が体（２）の少なくとも１つの本質的な拡がりを包囲するように形成されていることを特徴とする、請求項１４〜２０のいずれか一項に記載の装置。
【請求項２２】
輪郭要素（１）が体（２）の１つの区域を包囲するように形成されていることを特徴とする、請求項１４〜２０のいずれか一項に記載の装置。
【請求項２３】
輪郭要素（１）が少なくとも領域ごとに体（２）上に張り付け可能であることを特徴とする、請求項１４〜２２のいずれか一項に記載の装置。
【請求項２４】
輪郭要素（１）が開放可能な閉具を有していることを特徴とする、請求項１４〜２２のいずれか一項に記載の装置。
【請求項２５】
輪郭要素（１）には利用の際に除去可能なカバーフォイルが設けられていることを特徴とする、請求項１４〜２４のいずれか一項に記載の装置。
【請求項２６】
輪郭要素（１）がひだ寄せ過程の実施による少なくとも１つの引張要素を有していることを特徴とする、請求項１４〜２５のいずれか一項に記載の装置。
【請求項２７】
輪郭要素（１）が波形付け過程の実施による少なくとも１つの引張要素を有していることを特徴とする、請求項１４〜２５のいずれか一項に記載の装置。
【請求項２８】
輪郭要素（１）が輪郭データ検知するため及び輪郭データを保存するための装置に接続可能であることを特徴とする、請求項１４〜２７のいずれか一項に記載の装置。
【請求項２９】
輪郭要素（１）が、少なくとも部分的に、吹き付けられた層から形成されていることを特徴とする、請求項１４〜２８のいずれか一項に記載の装置。
【請求項３０】
輪郭要素（１）には少なくとも１つの反応性物質が設けられていることを特徴とする、請求項１４〜２９のいずれか一項に記載の装置。
【請求項３１】
輪郭要素（１）には形状記憶性が設けられていることを特徴とする、請求項１４〜２９のいずれか一項に記載の装置。
【請求項３２】
輪郭要素（１）が、カプセル化された少なくとも１つの接着剤を有していることを特徴とする、請求項１４〜２９のいずれか一項に記載の装置。
【請求項３３】
輪郭要素（１）が、ｐＨ値に関して可変の少なくとも１つの物質を有していることを特徴とする、請求項１４〜２９のいずれか一項に記載の装置。
【発明の詳細な説明】
【技術分野】
【０００１】
本発明は、体の外輪郭を少なくとも領域ごとに検知するための方法に関し、この方法では、体を少なくとも領域ごとに包囲する輪郭要素が体の外輪郭に対応して成形される。それに加え、本発明は、体の外輪郭を少なくとも領域ごとに検知するための装置に関し、この装置は、成形可能な少なくとも１つの輪郭要素を有している。
【背景技術】
【０００２】
この種の方法及び装置は、例えば、人体の輪郭を検知するために使用されるが、他の生物又は物体の体輪郭を検知するための多様な適用も知られている。
【０００３】
特許文献１では、例えば人の腕の輪郭検知のためにモデリングフォイルを使用することについて記載されている。このフォイルは、型どりすべき腕部分の一部分上に載置され、対応する硬化の後に取り外される。それにより腕の表面輪郭が持続的に検知される。従って石膏模型に似た型どり原理であり、この場合ではフォイル或いはプラスチックが使用されている。
【０００４】
特許文献２では、前側の接触要素と後側の接触要素が測定バンドにより互いに接続されているという測定装置について記載されている。測定バンドの伸びが伸び測定ストライプを使用して電気的に検知される。この種の装置は製造に関して比較的高価であり、様々な人物による幾度もの使用は衛生上の観点から憂慮すべきであるか又は多大な消毒手間を必要とする。
【０００５】
特許文献３では、光学スキャナを使用した輪郭検知について記載されている。ここでは技術的に極めて手間と費用のかかる装置が取り扱われ、この装置は予め選択された場所に取り付けられる。人体の測定時に各々の人物はこの測定装置へと赴く必要があり、それに対し、例えば測定すべき人物の住居内におけるような分散式の使用は相応する手間と費用のために実現不可能である。
【０００６】
【特許文献１】ドイツ特許出願公開第2506295号明細書
【特許文献２】ヨーロッパ特許第0128146号明細書
【特許文献３】ドイツ特許出願公開第19956574号明細書
【発明の開示】
【発明が解決しようとする課題】
【０００７】
本発明の課題は、冒頭に掲げた形式の方法を、分散式の適用が簡単な方式で且つ僅かなコストで可能とされるように改善することである。また、本発明の更なる課題は、冒頭に掲げた形式の装置を、訓練を積んでいない人物による使用が可能であり且つ僅かな製造価格が支援されるように構成することである。
【課題を解決するための手段】
【０００８】
前記の課題の前者は、本発明に従い、次のことにより解決される。即ち、体の外輪郭に対応して成形された状態にある輪郭要素の形が輪郭要素の少なくとも１つの材料特性を変化させることにより記憶されること、及び、体から輪郭要素を弾性的に分離した後に輪郭要素の新たな取り扱いが次のように実施されること、即ち、体により成形された状態にある輪郭要素の形が、変化された材料特性を評価することにより検知されるようにである。
【０００９】
前記の課題の後者は、本発明に従い、次のことにより解決される。即ち、輪郭要素が、成形状態を記憶する少なくとも１つの材料特性を有すること、輪郭要素が、少なくとも成形状態の保存の後に弾性的な材料特性を有すること、及び、保存された成形状態が測定技術的に検知可能であること。
【００１０】
体の外輪郭により成形された状態で輪郭要素の少なくとも１つの材料特性を変化させることにより、次のことが可能である。即ち、この材料特性の対応的な固定の後に輪郭要素を再び体から分離し、この分離過程中において、より強い弾性的な変形を許容すること、及び、体から輪郭要素を分離した後、変形されていない基本状態への輪郭要素の復帰を容認することである。
【００１１】
例えば、輪郭要素を利用者の住居の領域内で使用すること、それに引き続き、その評価を中央として検知箇所の領域内で集中的に実施することが可能である。特に衣服の発送に関連する使用が想定されていて、その理由は、そこでは、発送された衣類がマッチしないという多大な問題があるためである。輪郭要素により、どのユーザも発送者に自分の体輪郭に関する正確な情報を提供することができ、その結果、これらのデータを各々の衣類の製造データと調節することが可能である。それにより、特に、サイズ表示が同じ場合の様々な製造者の様々な裁断も考慮され得る。
【００１２】
変化された材料特性の検知は、例えば、中央検知箇所の領域内で新たに輪郭要素の弾性的な変形が実施されることにより行われ、この輪郭要素の弾性的な変形は、元来の測定過程の実施時の体延在態様に対応する弾性的な変形がここで再び提示され、このことが、保存されている材料特性により信号伝達されるまで実施される。それにより再生された輪郭要素の弾性的な変形は、その後、任意の測定方法により、例えば光学的に又は機械的に検知され得る。
【００１３】
簡単な取り扱いは、フォイル状の輪郭要素が変形されることにより支援され得る。
【００１４】
様々な材料特性の組み合わせは、それらの材料特性が少なくとも二層の輪郭要素の記憶層内に保存されることにより容易にされる。
【００１５】
光作用による変形状態の保存は、輪郭要素の材料特性が光学的に変化されることにより支援される。
【００１６】
例えば温風や温水の作用による輪郭情報の保存は、輪郭要素の材料特性が熱的に変化されることにより支援される。
【００１７】
記憶バリエーションとして、測定情報を保存するために輪郭要素の色変化が実施されるということがある。
【００１８】
同様に、輪郭要素の材料特性が空気作用により変化されるということも想定されている。
【００１９】
他の実現化バリエーションとして、輪郭要素の材料特性が圧力作用により変化されるということも挙げられる。
【００２０】
長期に渡って維持される輪郭要素の使用可能性は、基本状態にある輪郭要素が、フォイルカバーにより、材料特性を変化させるパラメータから保護されることにより支援される。
【００２１】
作業工程内の包括的な輪郭検知は、輪郭要素が体の少なくとも１つの本質的な拡がりを包囲するように形成されていることにより可能とされる。
【００２２】
輪郭要素の接触を容易にするためには、輪郭要素が体の１つの区域を包囲するように形成されていることが提案される。
【００２３】
他の取り扱いバリエーションでは、輪郭要素が少なくとも領域ごとに体上に張り付け可能であることが想定されている。
【００２４】
使用者にとって快適な適用は、輪郭要素が開放可能な閉具を有していることにより支援される。
【発明を実施するための最良の形態】
【００２５】
添付の図面には本発明の実施形態が概要として示されている。
【実施例１】
【００２６】
図１における実施形態では輪郭要素（１）が体（２）により弾性的に変形されている。この際、輪郭要素（１）は体（２）の外輪郭（３）上に載置されている。図示されたこの実施形態において輪郭要素（１）は三層で形成されている。基本層（４）上には記憶層（５）が配設されていて、この記憶層（５）は被覆層（６）により覆われている。同様に、輪郭要素（１）の初期状態では、記憶層（５）の意図せざる影響を防止するために、被覆層（６）の上側に他の保護層（７）を配設することが可能である。この種の実施形態において保護層（７）は、輪郭要素（１）が体（２）の外輪郭（３）に密着した後に輪郭要素（１）から取り除かれる。
【００２７】
記憶層（５）の領域内には、目標を定めて影響を及ぼすことによりその材料特性の少なくとも１つを変化する少なくとも１つの材料が配設されている。この材料は例えば感光的に又は熱的に影響可能であり得て、同様に、記憶層（５）から分離可能な被覆層（６）において空気感受性を設けることが想定されている。同様に、吸湿、乾燥、圧力、又は他の物理的なパラメータによる影響が想定可能である。
【００２８】
体（２）の外輪郭（３）に対する輪郭要素（１）の接触は、例えば、管状の輪郭要素（１）又は輪郭要素（１）の区域を弾性的に変形することにより行われ得て、同様に、体（２）における接触を、閉具として、スライドファスナー、面ファスナー、又は他の解放可能な接続部を使用して実施することが可能である。ここで構成上の具体的な実現化は、輪郭要素（１）の大きさと、検知すべき体（２）の形式及び形状とに依存し、更にはその他の適用要求に依存して行われる。
【００２９】
基本的に方法経過は次のように行われ得る。即ち、第１ステップにおいて輪郭要素（１）が体（２）の外輪郭（３）により変形される、この変形状態において記憶層（５）が、外部のパラメータ、例えば物理的な又は化学的なパラメータの作用により次のように変化される、即ち、現在の変形状態に関する記憶情報が提供され、この記憶情報が、引き続く他の変形や復元成形によっても変化されないようにである。このことは、体（２）から輪郭要素（１）を分離した後、検知箇所の領域内で、輪郭要素（１）の新たな変形を、元来の変形状態が検知されるように実施することを可能にする。他のバリエーションは、記憶層（５）の変化された材料特性を、輪郭要素（１）の新たな弾性的な変形を伴うことなく測定技術的に検知し、これらの情報から計算により保存されている変形状態を検出するということにある。
【００３０】
図２には次のような実施バリエーションが示されている。即ち、図１に従う体（２）との接触による元来の変形との一致を記憶層（５）が見出すに至るまでの間、検知箇所の領域内で輪郭要素（１）の新たな変形が行われるというものである。図２に従う新たな変形は、例えば、図示されている変形体（８）を介して機械的に行われ得るが、液圧的な又は気体による変形も想定可能である。通常、変形体（８）は多数の個々の体区域から形成され得て、これらの体区域は、互いに依存せず、例えば気体による又は液圧的な駆動により、記憶層（５）内の情報により体（２）の外輪郭（３）との形の一致が信号伝達されるに至るまでの間、変形される。
【００３１】
図３は、多層の輪郭要素（１）のための典型的な製造プロセスを具現化している。加工ステーション（９）の領域内では場合により閉具が輪郭要素（１）に装着され、加工ステーション（１０）の領域内では記憶層（５）が塗布され、加工ステーション（１１）の領域内では被覆層（６）の塗布が行われる。追加的な保護層（７）を有する実施形態では、追加的な加工ステーションが使用される。
【００３２】
図４は、今一度、体（２）の外側サイズを検知する際の本質的な方法ステップを具現化している。方法ステップＩでは体（２）に対する輪郭要素（１）の載置が行われ、場合により、設けられている閉具の閉鎖、並びに、体（２）の外輪郭（３）により引き起こされる輪郭要素（１）の弾性的な変形、及び、記憶層（５）の領域内で輪郭情報の保存が行われる。プロセスステップＩＩでは変形体（８）を使用して輪郭要素（１）の復元成形が行われ、並びに、記憶層（５）の領域内の情報の評価が例えば気体による又は光学的なシステムを使用して行われる。プロセスステップＩＩＩの間では、変形された輪郭要素（１）から、適切な測定装置を介してサイズが取り出される。
【００３３】
変形状態の保存に対して選択的に又は補足として、記憶層（５）の領域内に材料の現在の応力状態に対する情報を配置すること、及びそれにより応力固定を維持することも可能である。保存されているデータの具体化に依存せず、保存は、記憶層（５）の物理的なパラメータを介しても化学的なパラメータを介しても可能である。
【００３４】
通信販売業の進展と関連して輪郭要素（１）を適用する場合には輪郭要素（１）が先ずエンドユーザに引き渡され、このエンドユーザは、輪郭要素（１）を覆い張ることができ、行われた記憶層（５）の変化により自分の体形状を記録することができる。それに引き続き、記憶層（５）内の情報を評価するために適切な検知装置への返送が行われる。それにより獲得されたユーザの体データを使用し、引き続き、目標を定めてマッチする衣類がユーザへと発送され得て、又は、最善の既製服の割り当てが行われ得て、又は、注文衣服の仕立てが支援され得る。衣類がマッチしないことに基づく返品はそれにより回避され得る。個々のユーザデータを個々の製造者情報に割り当てることはデータベースを使用して実施され得る。
【００３５】
他の実施形態では、見本衣類において、例えばソックスであるが、異なる色でマークされている測定バンドを、これらの測定バンドが各々の体輪郭の検知のために決定的な測定ポジションをとるように配置することが想定可能である。例えばドライヤーを使用して熱的に測定バンドを活性化した後、提供されている各々の体（２）の輪郭延在態様に対応して収縮が行われる。行われた収縮の後、測定バンドは見本衣類から分離され、これらの測定バンドだけが、対応する検知箇所へと引き渡される。それに対し、見本衣類は、利用人物のところに留まり、この人物に対し、例えば実施された行為のための承認として贈られ得る。足輪郭の検知の際には特に、両方の足を測定技術的に検知することも想定されている。それによりサイズ比較を実施することが可能である。収縮された測定バンドの長さは、検知箇所の領域内で従来の長さ測定技術を用いて評価される。
【００３６】
他の実施形態では、適切な物質の吹き付けを実施することが想定可能である。それに加え、収縮フォイルを使用することも想定されていて、これらの収縮フォイルは例えば熱的な付勢により収縮過程を実施する。
【００３７】
他の実施形態では、平たい材料を使用して輪郭検知を実施することが想定されていて、この平たい材料には特殊なひだ寄せ要素が設けられている。例えば繊維状に実施され得るこれらのひだ寄せ要素における引っ張りをもとに、検知すべき体の輪郭における接触により、平たい材料のひだ寄せ(Raffen)が行われる。
【００３８】
同様に、波形付け(Kraeuseln)により検知すべき体（２）の輪郭に対する輪郭適合を実施する平たい材料を使用することも想定されている。ひだ寄せにおいても波形付けにおいても、輪郭に適合されている状態をとった後に固定を実施し、それに引き続いて測定過程並びにそれに付属するデータ検知を実施することが想定されている。輪郭検知は例えば、ひだ寄せ又は波形付けの後に存在する引張応力を検知することにより行われる。
【００３９】
他の実施形態では、各々の輪郭データの検知が適用場所において行われ、それらのデータが適切なデータ記憶媒体上に保存される。その後、このデータ記憶媒体だけが中央検知箇所へと返送される。それにより輸送手間が軽減され得る。例えば、各々の輪郭データの電気的な検知、及び、例えば特殊なチップカード上の保存が想定されている。
【００４０】
補助的な実施形態として、相対的に互いに異なる２つの素材が上下に置かれるということがあり、これらの素材のうち少なくとも一方には反応性物質が設けられている。反応性物質の活性化は、それらの素材を互いに接触させることにより、又は、外部の作用パラメータにより行われる。
【００４１】
他のバリエーションは、輪郭要素（１）に所謂形状記憶性が設けられていることにある。この際、対応する記憶方法は、弾性から非弾性へ、その後、再び弾性へ、又は、非弾性から弾性へ、その後、再び非弾性へという変換ステップにより行われ得る。
【００４２】
更に、マイクロカプセル化された又はナノカプセル化された接着剤を輪郭要素（１）の領域内に配置することも想定されていて、それらの接着剤は例えば二室性システムで保管され得て、それらの接着剤においては圧力又は熱付勢により接着剤構成要素の互いの接触が行われる。その後、接着剤硬化により輪郭保存が行われ得る。
【００４３】
同様に、輪郭要素（１）の使用時に利用者によってジェルにより化学物質が制御されて供給されるという実施バリエーションが想定されていて、その化学物質の供給はｐＨ値の変化を結果として伴い、その化学物質はそれにより第１の形状変化を引き起こす。この第１の形状変化は利用者の体サイズの記憶を導く。反対方向へのｐｈ値の新たな変化を介し、輪郭要素（１）は再び元来のサイズに戻され、この形状で発送される。ｐｈ値の第１の変化が繰り返して引き起こされることにより、輪郭要素（１）は、再び、体サイズが記憶された形状にもたらされ得る。この経過を利用し、測定箇所で体サイズを後から検知することが問題なく可能である。
【図面の簡単な説明】
【００４４】
【図１】体により弾性的に変形されている多層の輪郭要素の横断面を示す図である。
【図２】元来の変形状態を測定技術的に検知するための新たに変形時における図１に従う輪郭要素を示す図である。
【図３】多層の輪郭要素を製造するための製作過程の概要を示す図である。
【図４】輪郭検知並びにそれに引き続く測定技術的な評価を実施する際の本質的な方法ステップの概要を示す図である。
【符号の説明】
【００４５】
１    輪郭要素
２    体
３    外輪郭
４    基本層
５    記憶層
６    被覆層
７    保護層
８    変形体
９    加工ステーション
１０    加工ステーション
１１    加工ステーション
Ｉ    プロセスステップ
ＩＩ    プロセスステップ
ＩＩＩ    プロセスステップ
【図１】
2005525475.tif 000003
【図２】
2005525475.tif 000004
【図３】
2005525475.tif 000005
【図４】
2005525475.tif 000006
【国際調査報告】
2005525475.tif 000007
2005525475.tif 000008
2005525475.tif 000009
2005525475.tif 000010
2005525475.tif 000011
2005525475.tif 000012